(57)【要約】【課題】記録媒体カートリッジの運搬時等において、情報記録媒体の情報記録領域がインナーロータの平面部で損傷を受けるのを防止する。【解決手段】記録媒体カートリッジ１は、カートリッジ筐体２内に、情報記録媒体３と、インナーロータ４と、シャッタ５と、を重ね合せた状態で収納し、インナーロータ４を回転させることにより、シャッタ５でをカートリッジ筐体２に設けた開口部６を開閉するようになっている。インナーロータ４は、円盤状の板材からなる平面部４０と、この平面部４０の外周縁に連続して設けられたリング状周壁部４１とを有している。前記平面部４０の上面４０ａは、外周部から中央部に向けて下り勾配に傾斜する略擂り鉢状の傾斜面に形成されていて、外周部で情報記録媒体３の非記録領域を支持するようになっている。【選択図】図５
2004220651.tif 000002
【特許請求の範囲】
【請求項１】
カートリッジ筺体内に、情報記録媒体と、インナーロータと、シャッタと、を備え、前記インナーロータを回転させると前記シャッタが前記カートリッジ筺体に設けた開口部を閉じる第１の位置と、開口部を開放する第２の位置との間で移動するようにした記録媒体カートリッジにおいて、
前記インナーロータは、前記情報記録媒体を支持する平面部と、該平面部の外周部に一体に形成されたリング状周壁部と、を備え、
前記平面部の上面は、外周部から中央部に向けて下り勾配で傾斜する傾斜面に形成されていることを特徴とする記録媒体カートリッジ。
【請求項２】
前記インナーロータは、前記上面にインナーロータ樹脂成形時においてエジェクトピンの先端部を導入する凹部を備えていることを特徴とする請求項１に記載の記録媒体カートリッジ。
【請求項３】
前記インナーロータは、前記平面部の上面の前記リング状周壁部側の端部に環状の溝部を備えていることを特徴とする請求項１に記載の記録媒体カートリッジ。
【請求項４】
前記インナーロータは、前記平面部に開口部を備えていて、該開口部の少なくとも前記上面側の縁部には、前記開口部に向けて傾斜する面取部が設けられていることを特徴とする請求項１に記載の記録媒体カートリッジ。
【請求項５】
情報記録媒体を支持する平面部と、該平面部の外周部に設けられたリング状周壁部と、を備え、カートリッジ筺体内に、回転自在に収納され、シャッタをカートリッジ筺体に設けた開口部を閉じる第１の位置と、開口部を開放する第２の位置との間で移動させる記録媒体カートリッジのインナーロータであって、
前記平面部の上面は、外周部から中央部に向けて下り勾配で傾斜する傾斜面に形成されていることを特徴とする記録媒体カートリッジのインナーロータ。
【発明の詳細な説明】
【０００１】
【発明の属する技術分野】
本発明は、カートリッジ筺体内に、情報記録媒体と、インナーロータと、シャッタと、を備え、前記インナーロータを回転させると前記シャッタが前記カートリッジ筺体のシェルに設けた開口部を閉じる第１の位置と、開口部を開放する第２の位置との間で移動するようにした記録媒体カートリッジ及び記録媒体カートリッジのインナーロータに関するものである。
【０００２】
【従来の技術】
記録媒体カートリッジとして、上、下シェルからなるカートリッジ筺体内に、情報記録媒体としてのディスクと、シャッタと、インナーロータと、シャッタと、を重ね合わせて収納し、前記インナーロータを一方向に回転させると前記シャッタが前記カートリッジ筺体の下シェルに設けた記録再生用の開口部を閉じる第１の位置に移動し、他方向に回転させると前記開口部を開放する第２の位置に移動するようにしたものが知られている。（例えば、特許文献１参照）。
【０００３】
【特許文献１】
特開平２００１−３３２０５４号公報（特許請求の範囲の請求項１、段落００１０、段落００３６、段落００３７、図１、図５、図２１）
【０００４】
【発明が解決しようとする課題】
ところで、従来の記録媒体カートリッジにおいて、図２６に示すように、前記インナーロータ１０１は、円板状の平面部１０２と、該平面部１０２の外周部に一体に形成されたリング状周壁部１０３と、を備えている。前記平面部１０２の上面は、フラットな平面に形成されていて、前記フラットな上面で情報記録媒体１０４を支持する構成になっていたために、次に述べるような問題点があった。
（１）前記情報記録媒体１０４の内，外周部の非記録領域１０４ａ，１０４ｂの間に存在する情報記録領域１０４ｃが前記平面部１０２の上面に接触して、記録媒体カートリッジの運搬時等において、前記情報記録領域１０４ｃが損傷を受ける虞があった。
（２）前記インナーロータ１０１は、図２７〜図２８に示すように、固定側金型２０１と、可動側金型２０２からなる成型装置２０３のキャビティー２０４内に前記固定側金型２０１側に設けたゲート部２０５から溶融樹脂を注入し、所定の形状に成型した後に、エジェクトピン２０６で前記インナーロータ１０１の平面部１０３の上面を押圧し、成型したインナーロータ１０１をキャビティー２０４から取出すことにより形成されるが、前記エジェクトピン２０６で押圧されたインナーロータ１０１の平面部１０３の上面に凹凸やバリ等が発生して、これらが前記情報記録媒体１０４の情報記録領域１０４ｃを損傷する虞があった。
【０００５】
本発明は、前記問題点を解決し、情報記録媒体の情報記録領域をインナーロータの平面部の上面に非接触状態にして、記録媒体カートリッジの運搬時等において、情報記録媒体の情報記録領域がインナーロータの平面部で損傷を受ける虞のない記録媒体カートリッジを提供することを目的になされたものである。
【０００６】
また、本発明の他の目的は、樹脂成型されたインナーロータを成型金型から取出す際に、インナーロータの平面部の上面がエジェクトピンで押圧されて、該押圧された部分に凹凸やバリ等が発生した場合でも、これらが前記情報記録媒体の情報記録領域に接触するのを防止することのできるインナーロータを提供することにある。
【０００７】
【課題を解決するための手段】
請求項１の発明は、カートリッジ筺体内に、情報記録媒体と、インナーロータと、シャッタと、を備え、前記インナーロータを回転させると前記シャッタが前記カートリッジ筺体に設けた開口部を閉じる第１の位置と、開口部を開放する第２の位置との間で移動するようにした記録媒体カートリッジにおいて、
前記インナーロータを、前記情報記録媒体を支持する平面部と、該平面部の外周部に一体に形成されたリング状周壁部と、で構成すると共に、前記平面部の上面を、外周部から中央部に向けて下り勾配で傾斜する傾斜面に形成することにより、
情報記録媒体をインナーロータの平面部の上面に載置したときに、情報記録媒体の外周部の非記録領域が前記インナーロータの平面部の上面の上端部に接触し、情報記録領域は、前記平面部の上面に対して非接触状態を保つようにした。
【０００８】
請求項２の発明は、請求項１に記載の記録媒体カートリッジにおいて、
前記インナーロータの平面部の上面に、インナーロータ樹脂成形時においてエジェクトピンの先端部を導入する凹部を設けることにより、
前記凹部内でエジェクトピンによる凹凸やバリ等が発生するようにした。
【０００９】
請求項３の発明は、請求項１に記載の記録媒体カートリッジにおいて、
前記インナーロータの平面部の上面の前記リング状周壁部側の端部に環状の溝部を設けることにより、
前記溝部を設けた部分の肉厚（溝部の底面部分の肉厚）を薄くして、前記インナーロータの平面部とリング状周壁部との間に所謂ヒケが発生するのを防止した。
【００１０】
請求項４の発明は、請求項１に記載の記録媒体カートリッジにおいて、
前記インナーロータの平面部に設けられた開口部の前記上面側の縁部には、前記開口部に向けて傾斜する面取部を設けることにより、
インナーロータ樹脂成形時において、前記開口部の前記上面側の縁部に発生したバリ等が情報記録媒体に接触するのを防止して、これらバリ等から情報記録媒体を保護した。
【００１１】
請求項５の発明は、情報記録媒体を支持する平面部と、該平面部の外周部に設けられたリング状周壁部と、を備え、カートリッジ筺体内に、回転自在に収納されていて、シャッタをカートリッジ筺体に設けた開口部を閉じる第１の位置と、開口部を開放する第２の位置との間で移動させる記録媒体カートリッジのインナーロータであって、
前記平面部の上面を、外周部から中央部に向けて下り勾配で傾斜する傾斜面に形成することにより、
情報記録媒体をインナーロータの平面部の上面に載置したときに、情報記録媒体の外周部の非記録領域に、前記インナーロータの平面部の上面の上端部が前記情報記録媒体支持面に接触し、情報記録領域は、前記上面に対して非接触状態を保つようにした。
【００１２】
【発明の実施の形態】
以下、本発明の記録媒体カートリッジを、（１）記録媒体カートリッジの概略構成およびインナーロータの構成、（２）カートリッジ筺体の構成、（３）情報記録媒体の構成、（４）シャッタの構成、（５）作用、（６）他の実施例、の各項に分けて順に説明する。
【００１３】
（１）記録媒体カートリッジの概略構成およびインナーロータの構成
図１は記録媒体カートリッジを上面側から見た斜視図、図２は記録媒体カートリッジを下面側から見た斜視図、図３は分解斜視図、図４は裏返して分解した状態の斜視図である。
【００１４】
図１〜図４に示したように、記録媒体カートリッジ１は、カートリッジ筐体２内に、情報記録媒体３と、インナーロータ４と、シャッタ５と、を重ね合せた状態で収納し、インナーロータ４を回転させることにより、シャッタ５をカートリッジ筐体２に設けた開口部６を閉塞する第１の位置と、開口部６を開放する第２の位置との間で移動させるようになっている。
【００１５】
インナーロータ４は、円板状に形成された平面部４０と、この平面部４０の外周縁に連続して設けられたリング状周壁部４１とを有していて、ポリアセタール（ＰＯＭ）やポリエチレンテレフタレート（ＰＥＴ）等の熱可塑性樹脂により一体的に形成されている。
【００１６】
図５の断面図に示すように、前記インナーロータ４の平面部４０の上面（情報記録媒体支持面）４０ａは、外周部から中央部に向けて下り勾配に傾斜する略擂り鉢状の傾斜面に形成されていて、外周部で情報記録媒体３の非記録領域を支持するようになっている。前記平面部４０の下面４０ｂは、フラット面に形成されている。
【００１７】
前記インナーロータ４は、前記傾斜面状の上面４０ａの外周部に、インナーロータ樹脂成形時においてエジェクトピンの先端部を導入する凹部４０ｃを備えている。前記凹部４０ｃは、前記上面４０ａの外周部に円周方向に所定の間隔をもって複数個形成されている。（図３参照）
前記インナーロータ４は、前記平面部４０の外周部と前記リング状周壁部４１との間（境目）の最も肉厚の厚い部分に、環状の溝部４０ｄを備えている。前記溝部４０ｄの底面部分の肉厚は、最も肉厚の厚い部分の肉厚の略１／２程度の肉厚に形成されている。
【００１８】
前記インナーロータ４は、前記平面部４０に開口部４２を備えていて、前記開口部４２の前記上面４０ａ側の縁部４２ａには、前記開口部４２に向けて傾斜する面取部４２ｂが形成されている。
【００１９】
また、図４に示すように、前記インナーロータ４の平面部４０の下面４０ｂ側には一対の軸部４９が設けられている。これら一対の軸部４９は、開口部４２を中心にして点対称となるように設けられている。
【００２０】
前記開口部４２は、前記下シェル２２の開口部６と同様に、ディスク回転駆動機構のターンテーブルと光学ピックアップ装置の光学ヘッドを情報記録媒体３に臨ませる記録／再生用開口部４２ｃと、ディスク回転駆動機構のターンテーブルを臨ませる中央開口部４２ｄとからなっている。
【００２１】
前記リング状周壁部４１は、上シェル２１の内面に設けられたリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。
【００２２】
また、リング状周壁部４１の外周面には、周方向の所定範囲に渡って多数の歯を有するギア部４３が設けられている。このギア部４３は、インナーロータ４の回転角度よりも少々大きい角度範囲となるように設定されている。即ち、図１３に示すように、下シェル２２の開口部６に対してインナーロータ４の開口部４２が最大に傾いて、次に説明する一対のシャッタ部材５ａ，５ｂが完全に閉じた状態になると、ギア部４３の周方向の一端が開口窓３０の一端に位置（露出）し、次に説明するストッパ部４４ａに設けた突起係合凹部４４が開口窓３０の中央に位置（露出）する。また、図１２に示すように、インナーロータ４が所定角度回転して開口部４２と開口部６が重なり合った状態となり、一対のシャッタ部材５ａ，５ｂが完全に開いたときに、ギア部４３の周方向の他端が開口窓３０に位置（露出）する。
【００２３】
図７に示すように、インナーロータ４のギア部４３の両側には、インナーロータ４の回転移動量を制限するストッパ部４４ａ，４４ｂが半径方向外側へ突出するように設けられている。
【００２４】
このようにギア部４３及びストッパ部４４ａ，４４ｂがリング状周壁部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。（図３参照）
図１２に示すように、インナーロータ４の開口部４２と下シェル２２の開口部６が重なり合った状態になると、ストッパ部４４ａの一端部が逃げ溝４５ａの一端部に設けたストッパ係合部４５ｃに係合してインナーロータ４の更なる回転を阻止する。また、図１３に示すように、インナーロータ４の開口部４２が下シェル２２の開口部６に対して最大に傾いた状態になると、ストッパ部４４ｂの一端部が開口部６の一端部に設けたストッパ係合部４５ｄに係合してインナーロータ４の更なる回転を阻止する。
【００２５】
更に、リング状周壁部４１の先端面には、周方向の２箇所にリフトアップ用の凸部４６が設けられている。これらインナーロータ側のリフトアップ用の凸部４６は、図１３に示すように、インナーロータ４の開口部４２が下シェル２２の開口部６に対して最大に傾いた状態において、図２０（Ａ）に示すように、上シェル２１のリング状の凹部１７内に設けたリフトアップ用の凸部１８に乗り上げるようになっている。
【００２６】
図４に示すように、前記一対の軸部４９，４９の近傍には、下シェル２２に設けた略Ｈ形状のリブ状の凸部２０ａ（図３参照）と略同じ高さの台形状の嵌合解除用の凸部４８、４８が設けられている。これら嵌合解除用の凸部４８、４８は、シャッタ部材５ａ，５ｂが開口部６を閉じている図１３の位置（第１の位置）から開口部６を解放する図１２の位置（第２の位置）に移動する際に、前記略Ｈ形状のリブ状の凸部２０ａを次に説明する一対のシャッタ部材５ａ，５ｂの溝状の凹部２０ｂから抜き出すためのものである。
【００２７】
嵌合解除用の台形状の凸部４８、４８は、図１３に示す位置において、前記略Ｈ形状のリブ状の凸部２０ａの端部に設けた第２，第４の背高部２０ｅ，２０ｇの側方に位置している。
【００２８】
図８〜図９は、前記インナーロータ４の成型装置１０１を示す。前記成型装置１０１は、固定側金型１０２と可動側金型１０３とからなっていて、固定側金型１０２と可動側金型１０３の間に形成されキャビティー１０４内に固定側金型１０２側に設けたゲート部１０５から溶融樹脂を注入して所定の形状に成型した後に、可動側金型１０３側に設けたエジェクトピン１０６の先端部で成型されたインナーロータ４の凹部４０ｃ内を押圧して、成型したインナーロータ４をキャビティー１０４を可動側金型１０３から抜き出すようになっている。そして、成型装置１０１から取出されたインナーロータ４は、自然冷却等により冷却されて硬化される。このとき厚肉部分には所謂ヒケが発生するが、前記インナーロータ４にあっては、平面部４０の最も肉厚の厚い外周部に環状に溝部４０ｄが設けられているので、該溝部４０ｄの底面部分の肉厚は薄くなり、前記インナーロータ４の平面部４０とリング状周壁部４１との間に所謂ヒケが発生するのを抑制する。また、前記ヒケの発生によりリング状周壁部４１が平面部４０側に傾斜するのを抑制する。
【００２９】
（２）カートリッジ筐体の構成
図１０に示すように、上シェル２１は、正面側が円弧形状とされた略四角形をなす薄い皿状部材からなり、外周縁部には周壁２１ａが設けられている。
【００３０】
周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００３１】
前記周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分にはそれぞれ、円弧状リブ１４が設けられている。
【００３２】
円弧状リブ１４の内側には、リング状リブ１５が設けられている。このリング状リブ１５の内側は、ディスク３の収納部１６になっている。
【００３３】
リング状リブ１５の外側には、後に詳しく説明するインナーロータ４のリング部の先端が嵌合するリング状の凹部１７が設けられている。リング状の凹部１７の底面の前後対称位置（１８０°位相をずらした位置）にはインナーロータ４を下シェル２２から離間する方向に移動させるためのリフトアップ用の凸部１８が設けられている。リフトアップ用の凸部１８は、後に説明するインナーロータ４のリング部４１の先端面に設けたインナーロータ側のリフトアップ用の凸部４６が乗り上げることにより、インナーロータ４を上シェル２１から離間する方向に移動させるようになっている。
【００３４】
図１１に示すように、下シェル２２は、上シェル２１と同様に正面側が円弧形状とされた略四角形をなす薄い皿状部材からなり、外周縁部には周壁２２ａが設けられている。
【００３５】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００３６】
前記周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、円弧状リブ１９が設けられている。
【００３７】
下シェル２２の円弧状リブ１９の内側は、インナーロータ４の肉厚方向の略半分及び一対のシャッタ５を収納する収納部になっている。
【００３８】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００３９】
下シェル２２には、中央部から前縁部２２ｂにかけて開口部６が設けられている。この開口部６は、ディスク回転駆動機構のターンテーブルと光学ピックアップ装置の光学ヘッドを情報記録媒体３に臨ませる記録／再生用開口部６ａと、ディスク回転駆動機構のターンテーブルを臨ませる中央開口部６ｂとからなっている。
【００４０】
また、図２に示すように、上，下シェル２１，２２の一方の側縁部２１ｄ，２２ｄの略中央部には、インナーロータ４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、記録媒体カートリッジ１をディスク記録再生装置に装着する際の誤挿入防止等を目的として設けられたものである。このガイド溝３１は開口窓３０に連通している。
【００４１】
図３に示すように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーロータ等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００４２】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００４３】
前記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（３）情報記録媒体の構成
情報記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能な追記型若しくは何度でも繰り返して記録可能な書換え型が記録可能型の光ディスクとして知られているが、実施例では記録可能型の光ディスク（以下、情報記録媒体を単に光ディスクと称する）が使用されている。
【００４４】
図４に示したように、光ディスク３は、中央部にセンタ穴３ａが設けられた厚みの薄い円板状の記録部材からなる。
【００４５】
光ディスク３は、チャッキングプレート押さえ８により上シェル２１の内面に取り付けられたチャッキングプレート７によりディスク記録再生装置のターンテーブルにチャッキングされて回転方向に一体化されて所定速度（例えば、ゾーン毎の角速度一定：ＺＣＡＶ）で回転される。
【００４６】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の中央部のセンタ穴３ａの外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００４７】
光ディスク３は、前記インナーロータ４の平面部４０の上面４０ａの外周部で前記外側の非記録領域２９ｂを支持される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることは勿論のこと、合成樹脂以外でも、ガラス材やアルミニウム合金等の各種の材料を用いることができる。
【００４８】
情報記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００４９】
（４）シャッタの構成
図１４及び図１５に示すように、シャッタ５は、同一の形状及び大きさに形成された一対のシャッタ部材５ａ，５ｂによって構成されている。前記一対のシャッタ部材５ａ，５ｂは、前記下シェル２２に設けた略Ｈ形状のリブ状の凸部２０ａの第１〜第４の背高部２０ｄ〜２０ｇ（図１１参照）の高さと略同じ板厚の板体によって形成されている。
【００５０】
前記一対のシャッタ部材５ａ，５ｂには、前記インナーロータ４に設けた軸部４９を挿入して回動支点（回動中心）を構成する軸受部５２と、前記下シェル２２の内面に設けた駆動軸部２０を挿入する長孔５３と、が設けられている。これらの長孔５３は、それらが設けられているシャッタ部材５ａ，５ｂの軸受部５２を中心に放射方向へ延びるように形成されている。前記長孔５３の外側の端部には、周囲に切り込みを入れることによって形成された弾性片５４と、ボス状の駆動軸部２０を逃がすための凹部５３ａとが設けられている。また、シャッタ部材５ａ，５ｂの円弧側辺には閉鎖用の凸片５５が設けられている。
【００５１】
前記一対のシャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ｂ側の端部である軸組付部５０ｃに前記軸受部５２がそれぞれ設けられている。
【００５２】
シャッタ部材５ａ、５ｂの弦側辺の凹側接合部５０ｂ側の端部には、それぞれ下シェル２２の略Ｈ形状のリブ状の凸部２０ａの端部に設けた第２の背高部２０ｅ又は第４の背高部２０ｇを導入する切欠部５０ｄが設けられている。
【００５３】
前記軸受部５２にインナーロータ４の平面部４０の軸部４９を挿入することにより、各シャッタ部材５ａ，５ｂがインナーロータ４の平面部４０の下面４０ｂ側にそれぞれ回動自在に取り付けられる。この際、一対のシャッタ部材５ａ，５ｂは、互いの弦側辺を対向させて取り付けるようにする。その結果、図１６に示すように、一対のシャッタ部材５ａ，５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図１７に示すように、開口部４２の中央部が一対のシャッタ部材５ａ，５ｂによって閉じられる。
【００５４】
シャッタを閉じた状態において、前記シャッタ部材５ａの凸片５５は、下シェル２２の第１の背高部２０ｄに当接し、シャッタ部材５ｂの凸片５５は、下シェル２２の第３の背高部２０ｆに当接して、これらの間の隙間を塞ぐようになっている。
【００５５】
また、前記シャッタ部材５ａ，５ｂの下シェル２２との摺接面には、略Ｈ形状のリブ状の凸部２０ａと係合して、防塵部を構成する溝状の凹部２０ｂが設けられている。溝状の凹部２０ｂには、シャッタ部材５ａ，５ｂが開口部４２を閉じている状態において、下シェル２２のリブ状の凸部２０ａが嵌合するようになっている。
【００５６】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されたタイプの材料が好適である。しかしながら、その他の合成樹脂を適用できることは勿論のこと、アルミニウム合金、ステンレス鋼その他の金属材料を用いることもできる。
（５）記録媒体カートリッジの作用
次に、記録媒体カートリッジの作用をディスク記録再生装置の構成と共に説明する。ディスク記録再生装置６０は、図１８に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００５７】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、記録媒体カートリッジ１の正面側の大きさ略同程度の大きさに形成されている。このカートリッジ出入口６５は、その内側に配置された開閉扉６６によって常時は閉じられている。
【００５８】
この開閉扉６６を記録媒体カートリッジ１の前部で押圧し、所定の位置まで差し込む。これにより、図示しないローディング機構によって記録媒体カートリッジ１が自動的に取リ込まれる。そして、ローディング機構で搬送された記録媒体カートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００５９】
これを具体的に説明すると、記録媒体カートリッジ１が所定の位置まで挿入されると、図１９に示すように、ディスク記録再生装置６０に内蔵されたシャッタ開閉機構のラック棒７０が、記録媒体カートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められて、ロック部材３２によるインナーロータ４のロックが解除されると共に、前記ラック棒７０に弾性片７０ｂを介して設けた回転操作突起７０ｃがインナーロータ４に設けた突起係合凹部４４に係合して、インナーロータ４を回転させる。更に、ラック棒７０が相対的に前進することにより、そのギア部７０ａの先端がインナーロータ４のギア部４３に噛み合わされる。
【００６０】
このギア部４３がラック棒７０のギア部７０ａに噛み合うことにより、ラック棒７０の移動量に応じてインナーロータ４が回転される。
【００６１】
図１９は、ラック棒７０のギア部７０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６，４２の重複部分から塵埃がディスク収納部内に入り込む虞れがない。
【００６２】
更に、開口部６と開口部４２とが鋭角で接近している部分には、一対のシャッタ部材５ａ，５ｂの軸取付部５０ｃが介在されており、これら軸取付部５０ｃがリブ状の凸部２０ａの第２，第４の背高部２０ｅ，２０ｇの内側に位置して隙間を消滅させている。また、第１，第３の背高部２０ｄ，２０ｆの内側には閉鎖用の突片５５が介在されて隙間を消滅させている。更に、一対のシャッタ部材５ａ，５ｂに設けた長孔５３は、シャッタ部材５ａ，５ｂが重なっている下シェル２２によって閉じられている。更にまた、図１９に示したように、開口部６を囲むように下シェル２２に設けた略Ｈ形状のリブ状の凸部２０ａがシャッタ部材５ａ，５ｂに設けた溝状の凹部２０ｂに嵌まり込んでクランク状の防塵部が形成されて、開口部６，４２を介して塵埃がディスク収納部内に侵入するのを防止する。
【００６３】
この状態から、記録媒体カートリッジ１の挿入動作に対応してラック棒７０がガイド溝３１内に入り込み、そのギア部７０ａとインナーロータ４のギア部４３との噛み合いが開始されると、インナーロータ４が時計方向に回転される。この場合、インナーロータ４が回転動作を開始する初期状態では、図１９及び図２０（Ａ）に示すように、インナーロータ４のリフトアップ用の凸部４６が上シェル２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図２０（Ｂ）に示すように、リフトアップ用の凸部１８，４６相互の係合が外れ摩擦力が消滅する。そのため、これ以後のインナーロータ４の回転動作は、極めて軽く且つスムースに行うことができる。
【００６４】
インナーロータ４を回転により、インナーロータ４の底面に設けた嵌合解除用の台形状の凸部４８，４８が下シェル２２のリブ状の凸部２０ａの第１，第３の背高部２０ｄ，２０ｆに乗り上げて、下シェル２２に対してインナーロータ４が持ち上げられた状態になると共に、シャッタ部材５ａ，５ｂも上昇して、リブ状の凸部２０ａから溝状の凹部２０ｂが抜け出た状態になるのである。
【００６５】
そして、インナーロータ４の更なる回転により、シャッタ部材５ａ，５ｂは、図１９の状態から、図２１のシャッタの半開状態を経て、図２２に示すように、各シャッタ部材５ａ，５ｂがインナーロータ４の開口部４２の両側部に移動して、前記開口部６，４２が完全に開放された状態になり、ディスク収納部内に収納されている光デイスク３の一部が開口部６，４２によって露出される。そして、前記記録再生装置本体６２による情報信号の再生又は記録が実行される。
【００６６】
情報信号の再生又は記録の後、ディスク記録再生装置６０に設けられるカートリッジ排出ボタン（図示せず）を操作することにより、ローディング機構の作動を介して記録媒体カートリッジ１がディスク記録再生装置６０から排出される。（６）他の実施例
前記実施例においては、インナーロータ４の平面部４０の情報記録媒体支持面（上面）４０ａを、外周部から中央部に向けて下り勾配に傾斜する略擂り鉢状の傾斜面に形成し、前記平面部４０の下面４０ｂを、フラット面に形成し、前記平面部４０の外周部の肉厚を、内周部の肉厚よりも厚くした場合を示したが、図２３に示すように、前記平面部４０の下面４０ｂも前記情報記録媒体支持面（上面）４０ａと略同様の傾斜面に形成してもよい。
【００６７】
また、前記実施例においては、カートリッジ筺体２の底面に開口部４２を設け、該開口部４２を、インナーロータ４と別体のシャッタ５で開閉する場合を示したが、図２４に示すように、カートリッジ筺体２の側面にヘッド挿入用の開口部４２を設けた場合には、インナーロータ４とシャッタ５を一体化し、具体的には、図２５に示すように、インナーロータ４のリング状周壁部４１の一部を切り欠いて窓部４１ａを形成して、インナーロータ４を回転させて、前記開口部４２の位置と前記窓部４１ａの位置を一致させることにより前記開口部４２を開放し、前記開口部４２の位置と前記窓部４１ａの位置を不一致にすることにより、前記開口部４２を閉塞する構成にしても良い。
【００６８】
【発明の効果】
本発明の記録媒体カートリッジには次に述べるような効果がある。
（１）請求項１及び請求項５の発明は、前記インナーロータを、前記情報記録媒体を支持する平面部と、該平面部の外周部に一体に形成されたリング状周壁部と、で構成すると共に、前記平面部の情報記録媒体支持面を、外周部から中央部に向けて下り勾配で傾斜する傾斜面に形成したので、情報記録媒体をインナーロータの情報記録媒体支持面に載置したときに、情報記録媒体の外周部に前記情報記録媒体支持面が接触して、該接触部よりも内側の情報記録領域を、前記情報記録媒体支持面に対して非接触状態を保って、情報記録媒体の情報記録領域を保護する。
（２）請求項２の発明は、前記インナーロータの情報記録媒体支持面に、インナーロータ樹脂成形時においてエジェクトピンの先端部を導入する凹部を設け、該凹部内でエジェクトピンによる凹凸やバリ等が発生するようにしたので、これら凹凸やバリ等が情報記録媒体に接触して、該情報記録媒体を損傷するのを防止することができる。
（３）請求項３の発明は、前記インナーロータの平面部の外周部とリング状周壁部との間に環状の溝部を設けることにより、該溝部を設けた部分の肉厚（溝部の底面部分の肉厚）を薄くしたので、前記インナーロータの平面部とリング状周壁部との間に所謂ヒケが発生するのを防止することができる。また、前記ヒケによるリング状周壁部の倒れ（傾斜）を防止することができる。
（４）請求項４の発明は、インナーロータの平面部に設けられた開口部の前記情報記録媒体支持面側の縁部には、前記開口部に向けて傾斜する面取部を設けたので、インナーロータ樹脂成形時において、前記開口部の前記情報記録媒体支持面側の縁部に発生するバリ等が情報記録媒体に接触するのを防止して、前記バリ等から情報記録媒体を保護することができる。
【図面の簡単な説明】
【図１】記録媒体カートリッジを上面側から見た斜視図。
【図２】記録媒体カートリッジを下面側から見た斜視図。
【図３】図１の分解斜視図。
【図４】図２の分解斜視図。
【図５】インナーロータの断面図。
【図６】要部の拡大図。
【図７】インナーロータの平面図。
【図８】成型装置の断面図。
【図９】成型装置の断面図。
【図１０】上シェルの内面側の平面図。
【図１１】下シェルの内面側の平面図。
【図１２】下シェルにインナーロータを組み付けて両者の開口部の位置を合わせた状態の平面図。
【図１３】下シェルにインナーロータを組み付けて両者の開口部の位置をずらした状態の平面図。
【図１４】シャッタ部材を上面側から見た斜視図。
【図１５】シャッタ部材を下面側から見た斜視図。
【図１６】シャッタ部材をインナーロータに取り付けて開口部を開いた状態の斜視図。
【図１７】シャッタ部材をインナーロータに取り付けて開口部を閉じた状態の斜視図。
【図１８】ディスク記録再生装置の斜視図。
【図１９】カートリッジ筐体とシャッタ機構との動作関係を示し、シャッタ部材で開口部を完全に閉じた状態を示す説明図。
【図２０】（Ａ）はインナーロータのリフトアップ用の凸部が上シェルのリフトアップ用の凸部に乗り上げた状態を示す断面図、（Ｂ）はインナーロータと上シェルのリフトアップ用の凸部の係合が外れた状態を示す断面図。
【図２１】図１９の状態からインナーロータを回転させて一対のシャッタ部材を半開きにした状態を示す説明図。
【図２２】図２１の状態からインナーロータを更に回転させて一対のシャッタ部材が完全に開いた状態を示す説明図。
【図２３】インナーロータの他の実施例の断面図。
【図２４】記録媒体カートリッジの他の実施例の斜視図。
【図２５】インナーロータの斜視図。
【図２６】従来例の分解斜視図。
【図２７】従来の成型装置の断面図。
【図２８】従来の成型装置の断面図。
【符号の説明】
１…記録媒体カートリッジ、２…カートリッジ筐体（シェル）、３…光ディスク（情報記録媒体）、４…インナーロータ、５…シャッタ、５ａ，５ｂ…一対のシャッタ部材、６…開口部、４０…平面部、４０ａ…上面、４０ｂ…下面、４０ｃ…エジェクトピン用の凹部、４０ｄ…環状の溝部、４２…開口部、４２ａ…縁部、４２ｂ…面取部。
【図１】
2004220651.tif 000003
【図２】
2004220651.tif 000004
【図３】
2004220651.tif 000005
【図４】
2004220651.tif 000006
【図５】
2004220651.tif 000007
【図６】
2004220651.tif 000008
【図７】
2004220651.tif 000009
【図８】
2004220651.tif 000010
【図９】
2004220651.tif 000011
【図１０】
2004220651.tif 000012
【図１１】
2004220651.tif 000013
【図１２】
2004220651.tif 000014
【図１３】
2004220651.tif 000015
【図１４】
2004220651.tif 000016
【図１５】
2004220651.tif 000017
【図１６】
2004220651.tif 000018
【図１７】
2004220651.tif 000019
【図１８】
2004220651.tif 000020
【図１９】
2004220651.tif 000021
【図２０】
2004220651.tif 000022
【図２１】
2004220651.tif 000023
【図２２】
2004220651.tif 000024
【図２３】
2004220651.tif 000025
【図２４】
2004220651.tif 000026
【図２５】
2004220651.tif 000027
【図２６】
2004220651.tif 000028
【図２７】
2004220651.tif 000029
【図２８】
2004220651.tif 000030